(57)【特許請求の範囲】
【請求項１】
未接着状態の紙製綴じ具に対して、加熱溶着加工を施すことにより、紙製綴じ具の先端部を基部に接着させて、複数枚の紙葉が紙製綴じ具によって綴じられた冊子を製造する装置であって、
溶着受板を備えた受部と、ハンドルと、ハンドルの動作によって昇降する加熱板と、加熱板とともに昇降するロッドホルダと、ロッドホルダに対して昇降可能な状態で保持される昇降ロッドと、昇降ロッドの下端に取り付けられた押さえバーとを有し、
ハンドルを下方へ回動させると、その回動動作が上下方向の直線運動に変換されて、加熱板、ロッドホルダ、及び、昇降ロッドが下降し、受部上に載置された紙製綴じ具の爪部が、押さえバーによって押さえ込まれて矯正されるとともに、この時点で、昇降ロッド及び押さえバーの下降が停止するよう構成され、
昇降ロッド及び押さえバーの下降が停止した時点からハンドルを更に回動させると、加熱板が更に下降し、加熱板と受部の溶着受板とによって、紙製綴じ具の基部と爪部の先端部とが上下から挟み込まれて圧縮され、加熱されるように構成されていることを特徴とする冊子製造装置。
【請求項２】
昇降ロッドには、ロッドホルダに対して、昇降ロッドを下方へ付勢するロッド付勢手段が装着されていることを特徴とする、請求項１に記載の冊子製造装置。
【請求項３】
受部は、溶着受板のほかに、紙製綴じ具が装着された紙葉を載置する天板と、昇降自在な状態で保持された昇降ステージを有し、
昇降ステージは、加熱板及びロッドホルダが基準位置にあるとき、上限位置に保持され、ハンドルが下方へ回動されると下降し、天板と溶着受板との間に溝が形成され、受部上に載置された紙製綴じ具の爪部の下半部がこの溝内に嵌合して保持され、基部又は爪部の先端部が溶着受板上に支持される状態となるように構成されていることを特徴とする、請求項１又は請求項２に記載の冊子製造装置。
【請求項４】
紙製綴じ具の基部と爪部の先端部とが、加熱板と溶着受板とによって挟持される位置まで加熱板が下降すると、内蔵されているヒータによって加熱板が熱せられ、挟持されている基部と爪部の先端部が加熱されるようになっていることを特徴とする、請求項１〜３のいずれかに記載の冊子製造装置。
【請求項５】
加熱板における加熱開始からの熱量が積算され、或いは、加熱開始からの経過時間がカウントされ、積算熱量が既定値を超えた時点で、或いは、既定の時間が経過した時点で、加熱が停止されるように構成されていることを特徴とする、請求項４に記載の冊子製造装置。
【請求項６】
加熱溶着加工の開始から終了までの間において、加熱板を加熱するヒータが、紙製綴じ具の爪部の先端部に塗布されているヒートシール接着剤の溶融に適した温度に管理されるように構成され、
加熱が停止された後、基部と爪部の先端部との接着状態が維持できるまでに必要な養生時間の経過を待って、加熱溶着加工が終了したことを作業者に報知する手段を有していることを特徴とする、請求項５に記載の冊子製造装置。
【発明の詳細な説明】
【技術分野】
【０００１】
本発明は、カレンダー等の冊子の製造装置に関し、特に、紙製綴じ具を用いて複数枚の紙葉を綴じ合わせることができる手動式冊子製造装置に関する。
【背景技術】
【０００２】
カレンダーやノート等の冊子を綴じる手段としては、従来より、螺旋状或いはリング状に成形された金属製の綴じ金具が広く用いられてきたが、金属製の綴じ金具は焼却できないため、それらの冊子を廃棄する際には、紙製の冊子本体から綴じ金具を取り外し、分別して廃棄する必要があり、非常に煩雑であるという問題があるほか、冊子本体から綴じ金具が取り外されることなく、可燃物ゴミとして廃棄されてしまう可能性もあり、環境保護等の観点からも問題がある。
【０００３】
そこで近年では、廃棄の際の分別作業が不要で、全体を焼却することができるという利点を有する紙製の綴じ具が開発され、市場に供給されている（特開２００５−１１１８３５号公報等）。この紙製綴じ具は、基本的には、基部と、複数の爪部（基部から、その長手方向と直交する方向へ向かって延在するとともに、所定の曲率をもって湾曲した状態が維持されるように構成され、かつ、先端部を外側へ屈曲させてなる爪部）とによって構成されている。
【０００４】
また、このような紙製綴じ具を用いた冊子を製造するための装置も開発されている。より詳細には、特開２０１０−４２６３５号公報には、紙製綴じ具の各爪部を、先端が揃った状態に維持しながら、複数枚の紙葉の綴じ穴内へ案内して、紙製綴じ具を自動的に装着できるようにした装置が開示され、また、特開２００９−１１９６６８号公報、及び、特開２０１０−１３７４８４号公報には、紙葉の綴じ穴に装着された紙製綴じ具を自動的に接着する（紙製綴じ具の爪部の先端部を、基部に対して接着する）装置が開示されている。
【先行技術文献】
【特許文献】
【０００５】
【特許文献１】特開２００５−１１１８３５号公報
【特許文献２】特開２０１０−０４２６３５号公報
【特許文献３】特開２００９−１１９６６８号公報
【特許文献４】特開２０１０−１３７４８４号公報
【発明の概要】
【発明が解決しようとする課題】
【０００６】
特開２００５−１１１８３５号に記載されているような紙製綴じ具は、現在では、主として大量に製造される冊子に利用されているが、当然のことながら、少量生産される冊子や、個人的、家庭的に使用される冊子などにも適用可能である。このようなニーズに対応するためには、紙葉に装着した状態の紙製綴じ具を簡単に接着できるような、簡易な構造の安価な装置の開発が望まれる。
【０００７】
しかしながら、この紙製綴じ具は、各爪部の先端部の位置が揃っていなかったり、爪部の湾曲形状がまちまちとなってしまうことが多く、大量に製造することを前提とした大型の装置を使用する場合は別として、取り扱いが非常に難しいという問題がある。より具体的に説明すると、爪部の先端部の位置や湾曲形状が不揃いの紙製綴じ具に対して、適正に接着加工を行うためには、爪部の形状を事前に矯正しておく必要がある。
【０００８】
そして、紙製綴じ具の矯正の際には、非常にデリケートな取り扱いが必要となるため、従来の自動接着装置においては、ガイドやサポートなどを、適切な押圧力、スピード、及び、タイミングで動作させる複数系統のアクチュエータを装備していたが、簡易な構造の安価な装置において、そのようなデリケートな矯正作業を実行できるように構成することは非常に難しい。
【０００９】
本発明は、このような従来技術の問題を解決しようとするものであって、簡易な構造でありながら、取り扱いが難しい紙製綴じ具を、簡単に、かつ、適正に接着することができる手動式の冊子製造装置を提供することを目的とする。
【課題を解決するための手段】
【００１０】
本発明の冊子製造装置は、未接着状態の紙製綴じ具に対して、加熱溶着加工を施すことにより、紙製綴じ具の先端部を基部に接着させて、複数枚の紙葉が紙製綴じ具によって綴じられた冊子を製造する装置であって、溶着受板を備えた受部と、ハンドルと、ハンドルの動作によって昇降する加熱板と、加熱板とともに昇降するロッドホルダと、ロッドホルダに対して昇降可能な状態で保持される昇降ロッドと、昇降ロッドの下端に取り付けられた押さえバーとを有し、ハンドルを下方へ回動させると、その回動動作が上下方向の直線運動に変換されて、加熱板、ロッドホルダ、及び、昇降ロッドが下降し、受部上に載置された紙製綴じ具の爪部が、押さえバーによって押さえ込まれて矯正されるとともに、この時点で、昇降ロッド及び押さえバーの下降が停止するよう構成され、昇降ロッド及び押さえバーの下降が停止した時点からハンドルを更に回動させると、加熱板が更に下降し、加熱板と受部の溶着受板とによって、紙製綴じ具の基部と爪部の先端部とが上下から挟み込まれて圧縮され、加熱されるように構成されていることを特徴としている。
【００１１】
尚、昇降ロッドには、ロッドホルダに対して、昇降ロッドを下方へ付勢するロッド付勢手段が装着されていることが好ましく、また、受部は、溶着受板のほかに、紙製綴じ具が装着された紙葉を載置する天板と、昇降自在な状態で保持された昇降ステージを有し、昇降ステージは、加熱板及びロッドホルダが基準位置にあるとき、上限位置に保持され、ハンドルが下方へ回動されると下降し、天板と溶着受板との間に溝が形成され、受部上に載置された紙製綴じ具の爪部の下半部がこの溝内に嵌合して保持され、基部又は爪部の先端部が溶着受板上に支持される状態となるように構成されていることが好ましい。
【００１２】
更に、紙製綴じ具の基部と爪部の先端部とが、加熱板と溶着受板とによって挟持される位置まで加熱板が下降すると、内蔵されているヒータによって加熱板が熱せられ、挟持されている基部と先端部が加熱されるようになっていることが好ましく、この場合、各工程毎に、加熱板における加熱開始からの熱量が積算され、或いは、加熱開始からの経過時間がカウントされ、積算熱量が既定値を超えた時点で、或いは、既定の時間が経過した時点で、加熱が停止されるように構成することが好ましい。
【００１３】
また、加熱溶着加工の開始から終了までの間において、加熱板を加熱するヒータが、紙製綴じ具の爪部の先端部に塗布されているヒートシール接着剤の溶融に適した温度に管理されるように構成され、加熱が停止された後、基部と爪部の先端部との接着状態が維持できるまでに必要な養生時間の経過を待って、加熱溶着加工が終了したことを作業者に報知する手段（「開放」と表示されたランプ等）を有していることが好ましい。
【発明の効果】
【００１４】
本発明の冊子の製造装置は、簡易な構造でありながら、デリケートな取り扱いが要求される紙製綴じ具の爪部の矯正を適正に行うことができ、しかも、手動力を利用した簡単な操作のみで、矯正から接着までの一連の作業を簡単に実行することができる。
【００１５】
また、加熱溶着加工時において、所定の条件が満たされた場合（積算熱量の超過、或いは、既定時間の経過）に、加熱が停止されるように構成した場合には、エネルギー消費量を必要最小限に止め、「加熱し過ぎ」の問題を好適に回避することができ、更に、加熱時において、加熱板が適正な温度に管理されるように構成した場合には、限度以上の温度で加熱されることによる「焦げつき」の問題を回避好適に回避することができる。
【図面の簡単な説明】
【００１６】
【図１】図１は、本発明に係る冊子製造装置１における主要部の構造、及び、動作態様（動作前の基準位置）を示す図である。
【図２】図２は、本発明に係る冊子製造装置１における主要部の構造、及び、動作態様（開始直後）を示す図である。
【図３】図３は、本発明に係る冊子製造装置１における主要部の構造、及び、動作態様（押さえ時）を示す図である。
【図４】図４は、本発明に係る冊子製造装置１における主要部の構造、及び、動作態様（加熱溶着時）を示す図である。
【発明を実施するための形態】
【００１７】
以下、添付図面に沿って本発明「冊子製造装置」の実施形態について説明する。図１〜４は、本発明に係る冊子製造装置１における主要部の構造、及び、動作態様（動作前の基準位置、開始直後、押さえ時、及び、加熱溶着時）を示す図である。この冊子製造装置１は、未接着状態の紙製綴じ具５１に対して、加熱溶着加工を施すことにより、紙製綴じ具５１の先端部５１ｃを基部５１ｂに接着させて、複数枚の紙葉５２が紙製綴じ具５１によって綴じられた冊子５０を製造するものである。
【００１８】
尚、ここに言う「未接着状態の紙製綴じ具５１」とは、基部５１ｂと、複数の爪部５１ａ（基部５１ｂから、その長手方向と直交する方向へ向かって延在するとともに、所定の曲率をもって湾曲した状態が維持されるように構成され、かつ、先端部を外側へ屈曲させてなる）とによって構成される紙製綴じ具５１であって、図１に示すように、紙葉５２の綴じ穴５２ａ内に爪部５１ａが挿通され、爪部５１ａの先端部５１ｃ（ヒートシール接着剤が予め塗布されている）が基部５１ｂに対して接着されていない状態の紙製綴じ具５１を言う。
【００１９】
この冊子製造装置１は、紙製綴じ具５１及び紙葉５２を載置する受部２、基準位置から下降して加熱溶着を実行する昇降部３、及び、昇降部３を上下方向へ動作させるレバー部４等を有している。
【００２０】
これらのうち、受部２は、受台２１、天板２２、溶着受板２３、及び、昇降ステージ２４によって構成されている。天板２２は、受台２１上に固定され、溶着受板２３は、受部２上の適正な位置に紙製綴じ具５１及び紙葉５２が載置された場合において、紙製綴じ具５１の基部５１ｂを下側から支持できる位置に配置されている。昇降ステージ２４は、上下方向へ昇降自在な状態で受台２１に保持され、昇降部３が基準位置（図１に示す位置）にあるときには上限位置（本実施形態においては、上面が天板２２の上面と同じ高さとなる位置）に保持され、かつ、この状態から適切なタイミングで下降するように構成されている。尚、昇降ステージ２４の下半部（受台２１よりも下方の部分）には、受台２１に対して昇降ステージ２４を下方へ付勢する圧縮コイルスプリング２４ａが装着されている。
【００２１】
昇降部３は、昇降ベース３２、ヒータブロック３３、加熱板３３ａ、ロッドホルダ３４、昇降ロッド３５、押さえバー３６、先端定規３８、及び、プッシュアップロッド３９によって構成されている。昇降ベース３２は、固定状態で垂直に保持された固定ガイドロッド３１周りに装着され、固定ガイドロッド３１に沿って一定範囲内で昇降自在な状態となっている。
【００２２】
この昇降ベース３２には、ヒータブロック３３が取り付けられ、更に、ヒータブロック３３には、ロッドホルダ３４が取り付けられている。また、昇降ベース３２には、基準位置において昇降ステージ２４を上方へ押し上げるＬ字形状のプッシュアップロッド３９が取り付けられている。ヒータブロック３３、ロッドホルダ３４、及び、プッシュアップロッド３９は、昇降ベース３２に対し直接的又は間接的に固定された状態にあるため、昇降ベース３２と一体的に昇降動作する。
【００２３】
また、ヒータブロック３３の下側には、受部２の上に載置された紙製綴じ具５１の位置決めを行う先端定規３８と、受部２上の適正な位置に紙製綴じ具５１及び紙葉５２が載置された場合において、紙製綴じ具５１の先端部５１ｃを上側から下方へ向かって圧縮しつつ加熱する加熱板３３ａが取り付けられている。
【００２４】
ロッドホルダ３４内には、垂直姿勢の昇降ロッド３５が挿通されている。この昇降ロッド３５は、一定範囲内で昇降自在な状態でロッドホルダ３４に保持されており、昇降ロッド３５の下端には、押さえバー３６（底面に、紙製綴じ具５１の爪部５１ａの湾曲面に対応した形状の凹みが形成されている）が取り付けられている。また、昇降ロッド３５の中間部には、第一ストッパ３５ａが固定され、昇降ロッド３５の上端部には、第二ストッパ３５ｂが固定されている。
【００２５】
昇降ロッド３５の上半部（第一ストッパ３５ａと第二ストッパ３５ｂの間の部分）は、固定ガイドロッド３１の上端に取り付けられているリミッタ３７を上下方向へ貫通した状態となっており、第二ストッパ３５ｂは、リミッタ３７よりも上方に位置している。また、第一ストッパ３５ａは、ロッドホルダ３４とリミッタ３７の間に位置している。昇降ロッド３５の下半部（第一ストッパ３５ａと押さえバー３６の間の部分）には、ロッドホルダ３４に対して、昇降ロッド３５を下方へ付勢する圧縮コイルスプリング６１（ロッド付勢手段）が装着されており、第一ストッパ３５ａは、圧縮コイルスプリング６１の付勢力によってロッドホルダ３４の上面に押し付けられた状態となっている。
【００２６】
レバー部４は、ハンドル４１、レバー４２、及び、リンク４３によって構成されている。ハンドル４１は、水平な固定軸線Ｃ周りに回動するようになっており、レバー４２は、ハンドル４１における固定軸線Ｃ側の位置に固定されている。リンク４３は、レバー４２の先端部、及び、ヒータブロック３３に対してそれぞれ回動自在なように連結されており、ハンドル４１の回動動作が、レバー４２及びリンク４３によって上下方向の直線運動に変換されてヒータブロック３３に伝達されるようになっている。
【００２７】
この冊子製造装置１によって、未接着状態の紙製綴じ具５１に対して、加熱溶着加工を施すことにより、複数枚の紙葉５２が紙製綴じ具５１によって綴じられた冊子５０を製造する場合、まず、昇降部３及びレバー部４が図１に示す基準位置にある状態で、紙製綴じ具５１及び紙葉５２を受部２上の既定の位置にセットする。より詳細には、紙葉５２を天板２２上に載置し、紙製綴じ具５１を、基部５１ｂが下側、爪部５１ａの先端部５１ｃが上側となる向きで、基部５１ｂの先端を、溶着受板２３の上方において先端定規３８に突き当て、爪部５１ａが昇降ステージ２４の上に載置されるようにセットする。
【００２８】
このとき昇降ステージ２４は、上面が天板２２の上面と同じ高さ位置に保持されているが、この状態は、昇降ベース３２に固定されているプッシュアップロッド３９によって実現される。この点について具体的に説明すると、昇降ステージ２４は、上述の通り、受台２１に対して一定範囲内で昇降自在なように保持されているとともに、圧縮コイルスプリング２４ａによって下方へ付勢されている。そして、Ｌ字状のプッシュアップロッド３９は、その下端部が、昇降ステージ２４の下側まで延在するように構成されているとともに、基準位置にあるとき、圧縮コイルスプリング２４ａの付勢力に抗して昇降ステージ２４を上方へ押し上げるように構成され、かつ、押し上げられた昇降ステージ２４の上面が、天板２２の上面と同じ高さ位置に保持されるような寸法に設定されている。
【００２９】
紙製綴じ具５１及び紙葉５２を受部２上にセットしたら、レバー部４のハンドル４１を、手動力によって下方へ回動させていく。そうすると、下方へのハンドル４１の回動動作が、レバー４２及びリンク４３によって下向きの直線運動に変換され、ヒータブロック３３に伝達される。その結果、ヒータブロック３３と、これに固定されている昇降ベース３２、及び、ロッドホルダ３４が一体的に下降することになり、また、昇降ベース３２に取り付けられているプッシュアップロッド３９、及び、ロッドホルダ３４に保持されている昇降ロッド３５も、同様に下降することになる。
【００３０】
上述の通り、基準位置にあるプッシュアップロッド３９は、昇降ステージ２４を押し上げているが、ハンドル４１の回動に伴ってプッシュアップロッド３９が下降すると、圧縮コイルスプリング２４ａが開放され、その付勢力（及び昇降ステージ２４の重力）に従って昇降ステージ２４が下降し、図２に示すように、天板２２と溶着受板２３との間に、紙製綴じ具５１の爪部５１ａの大きさに見合った幅の溝が形成され、爪部５１ａの下半部がこの溝内に嵌合して保持され、基部５１ｂが溶着受板２３上に支持される状態となる。
【００３１】
この状態から更にハンドル４１を下方へ回動させると、図３に示すように、紙製綴じ具５１の爪部５１ａが、押さえバー３６（下降する昇降ロッド３５の下端に取り付けられ、底面に、爪部５１ａの形状に対応した凹みを有している）によって押さえ込まれ、適正な形状に（爪部５１ａの先端部５１ｃが、基部５１ｂと合掌状に重なり、Ｃ字状に拡開していた爪部５１ａがリング状となるように）矯正される。尚、昇降ロッド３５は、この時点（押さえバー３６によって紙製綴じ具５１が適正な形状に矯正された時点）で、上端の第二ストッパ３５ｂがリミッタ３７に突き当たるように構成されており、ハンドル４１を更に回動させても、それ以上は下降しないようになっている。
【００３２】
ロッドホルダ３４に保持されている昇降ロッド３５には、上述の通り、ロッドホルダ３４に対して昇降ロッド３５を下方へ付勢する圧縮コイルスプリング６１が装着されており、この圧縮コイルスプリング６１による付勢力（反発力）は、昇降ロッド３５が下限位置（第二ストッパ３５ｂがリミッタ３７に突き当たった状態）にあるとき、ロッドホルダ３４を上方へ付勢する力として作用する。従って、図３に示す状態から更にハンドル４１を下方へ回動させようとする際に、圧縮コイルスプリング６１の反発による抵抗力が加わることになる。
【００３３】
この抵抗力（圧縮コイルスプリング６１の反発による抵抗力）を上回る力を与えてハンドル４１を下方へ回動させると、図３に示す状態から、ヒータブロック３３（及び、昇降ベース３２、ロッドホルダ３４、プッシュアップロッド３９）が更に下降し、図４に示すように、ヒータブロック３３の下側に取り付けられている加熱板３３ａと、受部２の溶着受板２３とによって、紙製綴じ具５１の基部５１ｂと、その上に重ね合わされた先端部５１ｃとが、上下から挟み込まれて圧縮される。
【００３４】
尚、図３に示す状態からハンドル４１を回動させていくと、圧縮コイルスプリング６１が次第に圧縮されていくことになるため、圧縮コイルスプリング６１の反発によってハンドル４１に作用する抵抗力は、次第に大きくなっていくことになり、また、下限位置にある昇降ロッド３５においては、圧縮コイルスプリング６１の圧縮により、下方への付勢力がより大きくなっていくことになる。従って、ハンドル４１の回動によって昇降部３が下降していく過程において、矯正のために紙製綴じ具５１の爪部５１ａに作用する力が、昇降ロッド３５が下限位置に達した時点（図３に示す位置）から、加熱板３３ａが、紙製綴じ具５１の先端部５１ｃを圧縮する時点（図４に示す位置）までの間に、次第に大きくなっていくことになり、その結果、デリケートな取り扱いが要求される爪部５１ａの矯正を、適正に行うことができる。
【００３５】
そして、この冊子製造装置１においては、基部５１ｂと先端部５１ｃとが、加熱板３３ａと溶着受板２３とによって挟持される位置までヒータブロック３３等が下降すると、内蔵されているヒータによって加熱板３３ａが熱せられ、これらに挟持されている基部５１ｂと先端部５１ｃが、所定の温度にて加熱されるようになっており、先端部５１ｃに予め塗布されているヒートシール接着剤を溶融させて、基部５１ｂと先端部５１ｃとを適正な状態で接着（溶着）することができる。
【００３６】
尚、加熱板３３ａを加熱するヒータは、冊子製造装置１に内蔵されている制御部（図示せず）により、状況に応じて適正な温度に維持されるようになっている。具体的には、始動時に電源が投入されると、予熱が開始され、予熱完了後においては、加熱溶着加工の実行中を除き、設定予熱温度範囲内で温度が管理される。また、加熱溶着加工の開始から終了（開放）までの間においては、ヒートシール接着剤の溶融に適した温度に管理され、限度以上の温度で加熱されることによる「焦げつき」の問題を回避できるようになっている。
【００３７】
更に、この冊子製造装置１においては、各工程毎に、加熱開始からの熱量が積算され（或いは、加熱開始からの経過時間がカウントされ）、積算熱量が既定値を超えた時点で（或いは、既定の時間が経過した時点で）加熱が停止されようになっており、エネルギー消費量を必要最小限に止め、「加熱し過ぎ」の問題を回避できるようになっている。
【００３８】
また、ヒータブロック３３等が図４に示す位置まで下降して加熱が開始されると、「加熱」と表示されたランプ（図示せず）が点灯し、その後、積算熱量が既定値を超えて加熱が停止された後、更に必要な養生時間（溶融したヒートシール接着剤が冷えて、ある程度固化し、基部５１ｂと先端部５１ｃとの接着状態が維持できるまでに必要な時間）（例えば、２秒程度）が経過すると、「加熱」と表示されたランプが消灯するとともに、今度は「開放」と表示されたランプ（図示せず）が点灯し、加熱溶着加工が終了したことが、作業者に報知されるようになっている。
【００３９】
「開放」と表示されたランプが点灯したら、図４に示す状態からハンドル４１を上方へ回動させ、昇降ベース３２、ヒータブロック３３等を上昇させる。そうすると、加熱溶着加工が完了した紙製綴じ具５１が開放され、完成した冊子５０を取り出すことができる。
【００４０】
尚、本実施形態においては、基部５１ｂが下側（溶着受板２３側）、爪部５１ａの先端部５１ｃが上側（加熱板３３ａ側）となる向きで、紙製綴じ具５１を受部２上に載置して加工行っているが、逆の向きで、即ち、基部５１ｂが上側（加熱板３３ａ側）、爪部５１ａの先端部５１ｃが下側（溶着受板２３側）となる向きで、紙製綴じ具５１を受部２上に載置してもよい。
【００４１】
また、本実施形態においては、溶着受板２３は、独自の熱源によって加熱されるようには構成されていないが、溶着受板２３専用の熱源を別途用意して、積極的に加熱するように構成してもよい。
【符号の説明】
【００４２】
１：冊子製造装置、
２：受部、
３：昇降部、
４：レバー部、
２１：受台、
２２：天板、
２３：溶着受板、
２４：昇降ステージ、
２４ａ：圧縮コイルスプリング、
３１：固定ガイドロッド、
３２：昇降ベース、
３３：ヒータブロック、
３３ａ：加熱板、
３４：ロッドホルダ、
３５：昇降ロッド、
３５ａ：第一ストッパ、
３５ｂ：第二ストッパ、
３６：押さえバー、
３７：リミッタ、
３８：先端定規、
３９：プッシュアップロッド、
４１：ハンドル、
４２：レバー、
４３：リンク、
５０：冊子、
５１：紙製綴じ具、
５１ａ：爪部、
５１ｂ：基部、
５１ｃ：先端部、
５２：紙葉、
５２ａ：綴じ穴、
６１：圧縮コイルスプリング、
Ｃ：固定軸線
【図１】
0005809110.tif 000002
【図２】
0005809110.tif 000003
【図３】
0005809110.tif 000004
【図４】
0005809110.tif 000005